(57)【特許請求の範囲】
【請求項１】
原稿を搬送する搬送手段と、
原稿台の上に載置された原稿を第１の解像度で読み取る第１の読取処理と、前記搬送手段によって搬送される原稿を、前記第１の解像度または前記第１の解像度よりも低い第２の解像度で読み取る第２の読取処理とを実行可能な読取手段と、
前記第１の読取処理による原稿の読み取りによって生成される画像データと、前記第２の読取処理による原稿の読み取りによって生成される画像データと、をユーザによる１回の出力指示で出力することが可能な連続読込設定を受け付ける設定受付手段とを有し、前記読取手段は、前記設定受付手段が前記設定を受け付けたことに基づいて、前記第２の読取処理において原稿を前記第１の解像度で読み取ることを特徴とする原稿読取装置。
【請求項２】
前記設定受付手段が前記連続読込設定を受け付けていないことに基づいて、前記読取手段は、前記第２の読取処理において原稿を第２の解像度で読み取ることを特徴とする請求項１に記載の原稿読取装置。
【請求項３】
前記読取手段は、前記第１の読取処理による原稿の読み取りによって生成される画像データと、前記第２の読取処理による原稿の読み取りによって生成される画像データとを、読取指示を複数回受け付けることによって生成することを特徴とする請求項１又は２に記載の原稿読取装置。
【請求項４】
前記第２の読取処理における解像度を受け付ける解像度受付手段をさらに有し、
前記解像度受付手段によって、前記第２の読取処理における解像度を前記第１の解像度に設定したことに基づいて、前記読取手段は、前記設定受付手段が前記連続読込設定を受け付けたか否かに関わらず、前記第２の読取処理において原稿を前記第１の解像度で読み取ることを特徴とする請求項１乃至３のいずれか１項に記載の原稿読取装置。
【請求項５】
原稿を前記第２の読取処理で読み取るときに、前記第２の解像度で原稿を読み取るときの原稿の搬送速度は、前記第１の解像度で原稿を読み取るときの原稿の搬送速度より速いことを特徴とする請求項１乃至４のいずれか１項に記載の原稿読取装置。
【請求項６】
用紙に画像データを印刷する印刷手段をさらに有し、
前記印刷手段は、前記第１の読取処理による原稿の読み取りによって生成される画像データと、前記第２の読取処理による原稿の読み取りによって生成される画像データとに基づく画像を１回の印刷指示で印刷することを特徴とする請求項１乃至５のいずれか１項に記載の原稿読取装置。
【請求項７】
原稿を搬送する搬送手段と、
原稿台の上に載置された原稿を読み取る第１の読取処理と、前記搬送手段によって搬送される原稿を読み取る第２の読取処理と、を実行可能な読取手段と、
前記第１の読取処理による原稿の読み取りによって生成される画像データと、前記第２の読取処理による原稿の読み取りによって生成される画像データと、をユーザによる１回の出力指示で出力することが可能な連続読込設定を受け付ける設定受付手段とを有し、前記設定受付手段が前記設定を受け付けたことに基づいて、前記読取手段は、前記第１の読取処理と前記第２の読取処理において同じ解像度で原稿を読み取ることを特徴とする原稿読取装置。
【請求項８】
前記第２の読取処理の解像度を受け付ける解像度受付手段をさらに有し、
前記解像度受付手段が前記解像度を受け付けた場合に、前記設定受付手段が前記連続読込設定を受け付けていないことに基づいて、前記読取手段は、前記第２の読取処理において原稿を前記解像度受付手段によって受け付けた前記解像度で読み取ることを特徴とすることを特徴とする請求項７に記載の原稿読取装置。
【請求項９】
前記設定受付手段が前記連続読込設定を受け付けていないことに基づいて、前記読取手段は、前記第１の読取処理と前記第２の読取処理において異なる解像度で原稿を読み取ることができることを特徴とする請求項７または８に記載の原稿読取装置。
【請求項１０】
原稿を搬送する搬送手段を有する原稿読取装置の制御方法であって、
原稿台の上に載置された原稿を第１の解像度で読み取る第１の読取処理と、前記搬送手段によって搬送される原稿を、前記第１の解像度または前記第１の解像度よりも低い第２の解像度で読み取る第２の読取処理とを実行可能な読取工程と、
前記第１の読取処理による原稿の読み取りによって生成される画像データと、前記第２の読取処理による原稿の読み取りによって生成される画像データと、をユーザによる１回の出力指示で出力することが可能な連続読込設定を受け付ける設定受付工程とを有し、前記読取工程は、前記設定受付工程において前記連続読込設定を受け付けたことに基づいて、前記第２の読取処理において原稿を前記第１の解像度で読み取ることを特徴とする原稿読取装置の制御方法。
【請求項１１】
原稿を搬送する搬送手段を有する原稿読取装置の制御方法であって、
原稿台の上に載置された原稿を読み取る第１の読取処理と、前記搬送手段によって搬送される原稿を読み取る第２の読取処理と、を実行可能な読取工程と、
前記第１の読取処理による原稿の読み取りによって生成される画像データと、前記第２の読取処理による原稿の読み取りによって生成される画像データと、をユーザによる１回の出力指示で出力することが可能な連続読込設定を受け付ける設定受付工程とを有し、前記設定受付工程において前記連続読込設定を受け付けたことに基づいて、前記読取工程は、前記第１の読取処理と前記第２の読取処理において同じ解像度で原稿を読み取ることを特徴とする原稿読取装置の制御方法。
【請求項１２】
請求項１０又は１１に記載の原稿読取装置の制御方法を、コンピュータに実行させるためのプログラム。
【発明の詳細な説明】
【技術分野】
【０００１】
本発明は、原稿読取装置、原稿読取装置の制御方法及びプログラムに関するものである。
【背景技術】
【０００２】
デジタル複写機等の画像処理装置において、生産性を上げながら、機械のコストを落とすことは重要な課題となっている。このような課題に対しての一つの解決方法として、コピー時のスキャナによる原稿の読み込み速度をあげることが提案されている。スキャナによる原稿の読み込み速度を上げることは原稿読み込み時の解像度を落とすことになるが、単位時間当たりの原稿画像の読み込み速度が向上することにより生産性を上げることができる。
【０００３】
スキャナによる読込方法では、以下の二種類の方法が一般的に用いられる。
（１）ガラス台（原稿台）上に載置された原稿に沿って光学読取装置を移動させながら原稿を読み込む圧板読込方法
（２）専用トレイに置かれた原稿束から一枚ずつ原稿を搬送させ、搬送途中の原稿を固定された光学読取装置により読み込む流し読み読込方法の二種類の方法
【０００４】
上記二種類の方法で読み込みが可能な画像処理装置では、読み込み速度の切り替え（即ち、解像度の変更）を行う場合、一般的には、流し読み読込方法が用いられる。これは、読み込み速度の切り替えを実現するためには、光学読み取り装置を可変速で移動させる必要がある圧板読込方法よりも、原稿の搬送速度を変更することで実現できる流し読み読込方法の方が、少ないコストで実現できるからである。
【０００５】
流し読み読込方法における読み込み速度の切り替え（即ち、解像度の変更）は、ユーザの操作により行われる。例えば、ユーザが、速度を優先する速度優先から画質を優先する画質優先に切り替えた場合、又は、画質優先から速度優先に切り替えた場合、この操作に応じて、流し読み読込方法における読み込み速度が切り替えられる。ユーザは、コピー時の生産性と印刷される画像の品質のバランスを考慮して流し読み読込方法における読み込み速度の切り替えを行う。
【０００６】
なお、従来より、コピー機能には、圧板読込と流し読み読込とを切り替えて読み込んだ後、圧板読込で読み込んだ画像データと流し読み読込で読み込んだ画像データとをひとまとまりの画像データとして印刷処理可能な連続読込の機能が備えられている。
【先行技術文献】
【特許文献】
【０００７】
【特許文献１】特開２０１０−２７８８７０号公報
【発明の概要】
【発明が解決しようとする課題】
【０００８】
しかし、上述の連続読込の機能を使用している場合に、圧板読込での読み込み速度と、流し読み読込での読み込み速度とが異なると、圧板読込方法で読み込んだ画像データの解像度と流し読み読込方法で読み込んだ画像データの解像度とが異なってしまう。そのため、印刷物の中の圧板読込方法で読み込んだページと流し読み読込方法で読み込んだページとで画像品質に差異が発生してしまうといった課題があった。
【０００９】
このような事態の発生を回避するためには、従来ではユーザが指定するコピー機能に応じて、上述したような読み込み速度の切り替え操作を行わなくてはならなかった。例えば、上述の連続読み込み機能を使用する場合、流し読み読込方法の読み込み速度の設定が圧板読込方法の読み込み速度と異なる場合には、ユーザは、流し読み読込方法の読み込み速度を圧板読込方法の読み込み速度に合わせるよう操作する必要があった。
【００１０】
しかし、連続読み込み機能を使用するたびに、このような設定を考慮して流し読み読込方法の読み込み速度を切り替える操作を行うことは煩雑であり、ユーザに操作の負荷をかけることになってしまう。また、上述のような課題について知らないユーザは、上述のような読み込み速度を考慮する必要性すら認識していない可能性があり、上述のような設定が考慮されることなく連続読み込み機能が使用されてしまう可能性がある。その結果、読み込んだページ間で画像品質に差異が発生してしまい、ユーザの意図する出力物が得られない可能性があった。
【００１１】
本発明は、上記の問題点を解決するためになされたものである。本発明の目的は、第１の読取処理による原稿の読み取りによって生成される画像データと、第２の読取処理による原稿の読み取りによって生成される画像データと、をユーザによる１回の出力指示で出力する連続読込設定を受け付けている場合に、第１の読取処理と第２の読取処理とで解像度が異なることを防ぐことができる仕組みを提供することである。
【課題を解決するための手段】
【００１２】
本発明は、原稿を搬送する搬送手段と、原稿台の上に載置された原稿を第１の解像度で読み取る第１の読取処理と、前記搬送手段によって搬送される原稿を、前記第１の解像度または前記第１の解像度よりも低い第２の解像度で読み取る第２の読取処理とを実行可能な読取手段と、前記第１の読取処理による原稿の読み取りによって生成される画像データと、前記第２の読取処理による原稿の読み取りによって生成される画像データと、をユーザによる１回の出力指示で出力することが可能な連続読込設定を受け付ける設定受付手段とを有し、前記読取手段は、前記設定受付手段が前記連続読込設定を受け付けたことに基づいて、前記第２の読取処理において原稿を前記第１の解像度で読み取ることを特徴とする。
【発明の効果】
【００１３】
本発明によれば、第１の読取処理による原稿の読み取りによって生成される画像データと、第２の読取処理による原稿の読み取りによって生成される画像データと、をユーザによる１回の出力指示で出力する連続読込設定を受け付けている場合に、第１の読取処理と第２の読取処理とで解像度が異なることを防ぐことができる。
【図面の簡単な説明】
【００１４】
【図１】本発明の一実施例を示す画像処理装置の断面図
【図２】画像処理装置の構成を例示するブロック図
【図３】操作部の構成を例示する図
【図４】画像処理装置のメインメニューを例示する図
【図５】画像処理装置のコピー実行時の動作を例示するフローチャート
【図６】画像処理装置の読込設定及び動作モードのデータ構造
【図７】実施例２の画像処理装置のコピーモードに対応した解像度のデータ構造
【図８】画像処理装置のユーザモード設定画面を例示する図
【図９】画像処理装置の速度／画質優先選択画面を例示する図
【図１０】画像処理装置のコピー機能画面を例示する図
【図１１】画像処理装置のモード設定画面を例示する図
【発明を実施するための形態】
【００１５】
以下、本発明を実施するための形態について図面を用いて説明する。
【実施例１】
【００１６】
図１は、本発明の一実施例を示す画像処理装置１００の断面図である。
図２は、画像処理装置１００の構成を例示するブロック図である。
図３は、画像処理装置１００の操作部３００の構成を例示する図である。
【００１７】
図２に示すＣＰＵ２０１は、画像処理装置１００において制御の中心となる。ＣＰＵ２０１は、ＲＯＭ２０２に格納されている制御プログラムにしたがって、画像処理装置１００の各ブロックを制御する。また、ＣＰＵ２０１は、ＲＯＭ２０２の格納されている初期プログラムによってＨＤＤ２１８からＩ／Ｏ制御部２１５を介してＤＲＡＭ２０４にロードされた制御プログラムにしたがって、画像処理装置１００の各ブロックを制御することも可能である。
【００１８】
以下、画像処理装置１００における画像読み込み動作と画像印刷動作を説明する。
図１に示す原稿台ガラス１２０上の原稿１２１上の情報は、原稿読み取り装置１１９の露光部１１３を原稿台ガラス１２０上の原稿１２１に沿って移動させることで読み取られる（圧板読込方法）。原稿１２１は移動する露光部１１３によって露光され、原稿１２１の反射光がミラーユニット１１４に伝達され、伝達された反射光はレンズ１１５を通過して集光されＣＣＤセンサ部１１６にて電気信号に変換される。
【００１９】
また、原稿給紙装置１０１上のトレイ１０２の原稿１０３上の情報は、原稿読み取り装置１１９の露光部１１３に対して原稿１０３を相対的に移動させながら読み取られる（流し読み読込方法）。原稿１０３は、原稿トレイ１０２にセットされる。原稿給紙ローラ１０４は、分離パッド１０５と対になっていて、原稿１０３を一枚ずつ搬送する。搬送された原稿１０３は、中間ローラ対１０６で装置内に送られ、大ローラ１０８と第１従動ローラ１０９によって搬送され、さらに大ローラ１０８と第２従動ローラ１１０とによって搬送される。
【００２０】
大ローラ１０８と第２従動ローラ１１０とで搬送された原稿１０３は、流し読み原稿ガラス１１２と原稿ガイド板１１７との間を通り、ジャンプ台１１８を経由して、大ローラ１０８と第３従動ローラ１１１とにより搬送される。大ローラ１０８と第３従動ローラ１１１とにより搬送された原稿１０３は、原稿排紙ローラ対１０７により装置外に排出される。なお、流し読み原稿ガラス１１２と原稿ガイド板１１７との間では、原稿１０３は、原稿ガイド板１１７によって流し読み原稿ガラス１１２に接触する形で搬送される。
【００２１】
原稿１０３は、流し読み原稿ガラス１１２上を通過する際に、流し読み原稿ガラス１１２に接している面が露光部１１３によって露光され、露光の結果得られる原稿１０３からの反射光がミラーユニット１１４に伝達される。伝達された反射光は、レンズ１１５を通過して集光されＣＣＤセンサ部１１６にて電気信号に変換される。
【００２２】
上記電気信号に変換された原稿の画像データは、図２に示すように、スキャナ２０７のＣＰＵ２０８の制御によりＲＧＢの信号に変換される。該ＲＧＢ信号は、ＣＰＵ２０１の制御によりスキャナＩ／Ｆ２０６、バスコントローラ２０５を介してＤＲＡＭ２０４に一時格納された後、Ｉ／Ｏ制御部２１５を介してＨＤＤ２１８に保存される。スキャナ２０７は、図１の原稿給紙装置１０１、原稿読み取り装置１１９を含み、ＣＰＵ２０８が原稿給紙装置１０１、原稿読み取り装置１１９を制御する。
【００２３】
ＨＤＤ２１８に保存された画像データを印刷する場合には、ＨＤＤ２１８に保存された画像データは、ＣＰＵ２０１の制御によりＤＲＡＭ２０４に一時保存される。その後、画像データは、Ｇｒａｐｈｉｃ Ｐｒｏｃｅｓｓｏｒ２０３を介してＲＧＢ→ＣＭＹＫ変換などの色空間変換などが行われたのちプリンタＩ／Ｆ２１０を介してプリンタ２１２へ転送される。
【００２４】
プリンタ２１２へ転送された画像データは、ＣＰＵ２１３の制御により、図１のレーザーユニット１２２で画像データからレーザー光への変換が行われる。そして、レーザーユニットから発信されるレーザー光により感光体ドラム１２３、１２４、１２５、１２６上で画像として結像される。
【００２５】
結像された画像は、感光体ドラム１２３、１２４、１２５、１２６に結像された画像の静電容量によりトナーを吸着させる現像ユニット１２７、１２８、１２９、１３０を介して、給紙される用紙（シート）に、定着機１３３で定着される。なお、用紙は、給紙段１３１、給紙段１３２、給紙段１３８、給紙段１３９、給紙段１４０から給紙される。定着機１３３を通過した用紙は、搬送ローラ１３４、１３５で機外に排紙される。なお、両面印刷の場合には、定着機１３３を通過した用紙は、フラップ１３６を介してパス１３７に送られ、スイッチバックすることで反転されて再給紙される。
【００２６】
画像処理装置１００の電源ＯＮ時に、ＣＰＵ２０１は、ＲＯＭ２０２に格納されているプログラムにより、Ｉ／Ｏ制御部２１５、操作部Ｉ／Ｆ２１７を介して操作部３００のＬＣＤパネル３０２に、図４に示すようなメインメニュー４０１を表示する。なお、ＣＰＵ２０１が実行するプログラムは、ＲＯＭ２０２の初期プログラムによってＩ／Ｏ制御部２１５を介してＨＤＤ２１８に保存されているプログラムが転送されたものであるＤＲＡＭ２０４のプログラムであってもよい。
【００２７】
図４は、画像処理装置１００のメインメニュー４０１を例示する図である。
ポータル画面としてのメインメニュー４０１において、コピーアイコン４０２が押下されると、後述する図１０に示すようなコピー画面１００１がＬＣＤパネル３０２に表示され、コピー操作が可能となる。なお、メインメニュー４０１は、メインメニューキー３０１がユーザにより押下された場合にも表示される。
【００２８】
図３に示すＬＣＤパネル３０２の表面は、タッチセンサーになっており、ユーザが任意の領域を押下すると、押下された位置が操作部Ｉ／Ｆ２１７、Ｉ／Ｏ制御部２１５を介してＣＰＵ２０１に通知される。ＣＰＵ２０１は、通知された位置とＬＣＤパネル３０２に表示している画面からボタン等として表示している領域が押下されたかどうかを判断する。そして、ボタン等として表示している領域が押下されたと判断した場合には、ＣＰＵ２０１は、ＲＯＭ２０２のプログラムまたはＤＲＡＭ２０４に格納されたプログラムに応じた処理を行う。
【００２９】
ユーザ設定キー３０３をユーザが押下した場合、ユーザ設定キー３０３が押下されたことが、操作部Ｉ／Ｆ２１７、Ｉ／Ｏ制御部２１５を介してＣＰＵ２０１に通知される。ユーザ設定キー３０３が押下されたことを通知されたＣＰＵ２０１は、ＲＯＭ２０２等に格納されているプログラムに従って、Ｉ／Ｏ制御部２１５、操作部Ｉ／Ｆ２１７を介してＬＣＤパネル３０２上に、図８に示すようなユーザモード設定画面８０１を表示する。
【００３０】
ここで、図８を用いて、ユーザモード設定画面８０１について説明する。
図８は、画像処理装置１００のユーザモード設定画面８０１を例示する図である。
ユーザモード設定画面８０１の速度／画質優先設定メニュー８０２がユーザに選択されると、前述と同様にＣＰＵ２０１に通知され、ＣＰＵ２０１はＬＣＤパネル３０２に、図９に示すような速度／画質優先選択画面９０１を表示する。
【００３１】
ここで、図９を用いて、速度／画質優先選択画面９０１について説明する。
図９は、画像処理装置１００のモード選択画面としての速度／画質優先選択画面９０１を例示する図である。
本実施例では、速度／画質優先選択画面９０１は、コピー機能における流し読み読込方法での読み込み速度（即ち読み込み解像度）に関連する設定を行うためのものである。
【００３２】
速度／画質優先選択画面９０１に表示される速度優先９０２、画質優先９０３のいずれかをユーザが選択された状態でＯＫキー９０４が押下された場合、選択された内容が操作部Ｉ／Ｆ２１７、Ｉ／Ｏ制御部２１５を介してＣＰＵ２０１に通知される。ＣＰＵ２０１は、通知された内容をＤＲＡＭ２０４上に図６の読込設定６０１の読込設定内容６０２に保存する。なお、速度優先９０２は、高速（即ち低解像度）で原稿の読み込みを行う設定を行うためのものである。一方、画質優先９０３は、高解像度（即ち低速）で原稿の読み込みを行う設定を行うためのものである。
【００３３】
図６は、画像処理装置１００のメモリ（ＤＲＡＭ２０４）上の読込設定及びモード情報のデータ構造を例示する図である。
本実施例の画像処理装置１００は、原稿給紙装置１０１のトレイ１０２上の原稿１０３の情報を読み込む場合、読込設定内容６０２に格納されているデータにより、原稿１０３の搬送の制御を変更する。
【００３４】
原稿給紙装置１０１のトレイ１０２上の原稿１０３を読み込む際に、ＣＰＵ２０１は、読込設定内容６０２の内容を判断する。そして、ＣＰＵ２０１は、速度優先する設定が保存されている場合には、原稿給紙ローラ１０４が動作する前に、速度優先することを、シリアル通信コントローラ２１６を介してスキャナのＣＰＵ２０８に通知する。
【００３５】
速度優先することをＣＰＵ２０１から通知されたＣＰＵ２０８は、トレイ１０２の原稿１０３を搬送する時にローラ１０４、１０６、１０８、１０９、１１０、１１１を制御して搬送速度を、標準の速度の倍の速度にして搬送を行う。標準の速度は、予め決められている所定の速度、例えば６００ｄｐｉ相当の速度である。この例では、速度優先の場合、標準の速度の倍の速度として、３００ｄｐｉ相当の速度で搬送を行うことになる。
【００３６】
搬送速度を倍にした状態で搬送された原稿は、露光部１１３にて露光され、反射光がＣＣＤセンサ部１１で読み込まれる。ＣＣＤセンサ部１１６で読み込まれた原稿１０３の画像データは、スキャナＩ／Ｆ２０６を介してＧｒａｐｈｉｃ Ｐｒｏｃｅｓｓｏｒ２０３に送られ、ＣＰＵ２０１により主走査方向の解像度変換が行われる。その後、画像データは、ＤＲＡＭ２０４を経由してＩ／Ｏ制御部２１５を介してＨＤＤ２１８に保存される。
【００３７】
一方、読込設定内容６０２に、画質優先する設定が保存されている場合には、ＣＰＵ２０１は、原稿給紙ローラ１０４が動作する前に、画質優先することを、シリアル通信コントローラ２１６を介してスキャナのＣＰＵ２０８に通知する。画質優先することをＣＰＵ２０１から通知されたＣＰＵ２０８は、トレイ１０２の原稿１０３を搬送する時にローラ１０４、１０６、１０８、１０９、１１０、１１１を制御して搬送速度を標準の速度（６００ｄｐｉ相当の速度）にして搬送を行う。
【００３８】
上述のように、本実施例の画像処理装置１００は、圧板読込方法、又は、流し読み読込方法で原稿を読み込み可能である。圧板読込方法は、原稿台ガラス１２０上で停止している原稿に対して露光部１１３を所定の速度で移動させながら原稿の読み込みを行う読込方法である。また、流し読み読込方法は、トレイ１０２にセットされている原稿をＣＰＵ２０１で指定した速度で搬送し、搬送されている原稿を読み込む読込方法である。画像処理装置１００は、圧板読込方法、又は、流し読み読込方法で原稿を読み込み、読み込み速度に応じた解像度の画像データを生成する。
【００３９】
次に、図５のフローチャートを用いて、本実施例の印刷時の動作に関して説明する。
図５は、画像処理装置１００のコピー実行時の動作を例示するフローチャートである。このフローチャートの処理は、ＣＰＵ２０１がＲＯＭ２０２に格納されたプログラム（又はＨＤＤ２１８からＤＲＡＭ２０４にロードされたプログラム）を実行することにより実現されるものである。
【００４０】
ＣＰＵ２０１は、ＬＣＤパネル３０２に表示された図４のポータル画面４０１のコピーアイコン４０２を押下されると、そのことを操作部Ｉ／Ｆ２１７、Ｉ／Ｏ制御部２１５を介して検知する。該検知に応じて、ＣＰＵ２０１は、ＲＯＭ２０２等に格納されたプログラムに従って、図１０のコピー画面１００１をＩ／Ｏ制御部２１５、操作部Ｉ／Ｆ２１７を介してＬＣＤパネル３０２に表示し、図５のフローチャートに示す処理を開始する（Ｓ５０１）。
ＣＰＵ２０１は、コピー実行時のモード設定、スタートキー３０４の押下を受け付ける（Ｓ５０２，Ｓ５０３）。
【００４１】
図１０は、画像処理装置１００のコピー画面１００１を例示する図である。
コピー画面１００１において、１００２は、その他の機能ボタンである。ユーザにより、その他の機能ボタン１００２が押下されると、その操作が操作部Ｉ／Ｆ２１７、Ｉ／Ｏ制御部２１５を介してＣＰＵ２０１に通知される。
【００４２】
まず、ＣＰＵ２０１は、その他の機能ボタン１００２が押下されると、Ｉ／Ｏ制御部２１５、操作部Ｉ／Ｆ２１７を介して図１１に示すようなモード設定画面１１０１をＬＣＤパネル３０２に表示する。そして、ＣＰＵ２０１は、モード設定画面１１０１からコピー実行時のモード設定を受け付ける。
【００４３】
図１１は、画像処理装置１００のモード設定画面１１０１を例示する図である。
モード設定画面１１０１には、両面１１０３、仕上げ１１０４、ページ集約１１０５、連続読込１１０６、濃度１１０７、原稿の種類１１０８などのボタンが表示され、印刷時の動作モード（印刷モード）を設定することが可能である。
【００４４】
両面１１０３は、読み込んだ原稿を両面印刷する設定を行うためのものである。仕上げ１１０４は、印刷した用紙に対してステイプル処理を行うかどうかを指定するためのものである。ページ集約１１０５は、読み込んだ複数枚の原稿の画像データを合成して、一枚の印刷用紙に複数の画像を載せる設定を行うためのものである。連続読込１１０６は、原稿台ガラス１２０上の原稿とトレイ１０２上の原稿を切り替えながら読込を行うモードを設定するためのものである。即ち、連続読込１１０６は、圧板読込方法と流し読み読込方法を切り替えながら複数回に分けて原稿の読み込みが可能で、該複数回に分けた読み込みにより生成される画像データを一まとまりの画像データとして処理する動作モードを設定するためのものである。濃度１１０７は、印刷の濃度を調整するためのものである。原稿の種類１１０８は、原稿の種類を指定するためのものである。
【００４５】
ユーザによりＬＣＤパネル３０２上に表示されているモード設定画面１１０１上のボタン１１０３〜１１０８が押下されると、ＣＰＵ２０１は、操作部Ｉ／Ｆ２１７、Ｉ／Ｏ制御部２１５経由で押下されたボタンを検知する。該検知に応じて、ＣＰＵ２０１は、ＤＲＡＭ２０４にある図６の印刷モード６０３の第１モード６０４、第２モード６０５、第３モード６０６、第４モード６０７の領域のいずれかにいずれのボタンが押下されたかを記録する。例えば、連続読込１１０６が押下されると、ＣＰＵ２０１は、印刷モード６０３の第１モード６０４、第２モード６０５、第３モード６０６、第４モード６０７の領域のいずれかに連続読込１１０６が押下されたことを記録する。なお、ユーザがモード設定画面１１０１上で複数の設定がされた場合、ＣＰＵ２０１は、複数の設定を印刷モード６０３の第１モード６０４、第２モード６０５、第３モード６０６、第４モード６０７の領域のそれぞれに記録する。
【００４６】
この状態で操作部３００のスタートキー３０４をユーザが押下した場合、ＣＰＵ２０１は操作部Ｉ／Ｆ２１７、Ｉ／Ｏ制御部２１５経由でスタートキー３０４が押下されたことを検知する（Ｓ５０３でＹＥＳと判断する）。スタートキー３０４押下を検知すると、ＣＰＵ２０１は、読み込みの処理を開始する（Ｓ５０４）。ＣＰＵ２０１は、シリアル通信コントローラ２１６経由でスキャナ２０７のＣＰＵ２０８に対して原稿がトレイ１０２上にセットされているかどうかを問い合わせる。ＣＰＵ２０８は、原稿給紙ローラ１０４と分離パッド１０５の間に原稿があるかどうかを検知することでトレイ１０２上に原稿１０３があるかどうかを判定し、原稿１０３がある場合にはその旨をシリアル通信コントローラ２１６経由でＣＰＵ２０１に通知する。
【００４７】
上記問い合わせの結果の通知をＣＰＵ２０８から受信すると、ＣＰＵ２０１は、該問い合わせの結果に基づいて、「圧板読み込み」か「流し読み込み（ＤＦ）」かを判断する（Ｓ５０５）。ＣＰＵ２０１は、原稿がトレイ１０２上にセットされていない場合には「圧板読み込み」と判断し、原稿がトレイ１０２上にセットされている場合には「流し読み込み（ＤＦ）」と判断する。
【００４８】
そして、「圧板読み込み」と判断した場合（Ｓ５０５で「圧板」の場合）、ＣＰＵ２０１は、Ｓ５０６に処理を進める。Ｓ５０６において、ＣＰＵ２０１は、原稿台ガラス１２０上の原稿を標準の速度（６００ｄｐｉ相当）で読み込むように、ＣＰＵ２０８に指示をする（６００ｄｐｉ読み込み設定）。
【００４９】
一方、「流し読み込み（ＤＦ）」と判断した場合（Ｓ５０５で「ＤＦ」の場合）、ＣＰＵ２０１は、Ｓ５１１に処理を進める。
Ｓ５１１において、ＣＰＵ２０１は、読込設定６０１に保存されている読込設定内容６０２に記録されている内容が「速度優先」か「画質優先」かを判断する。
【００５０】
そして、読込設定６０１に保存されている読込設定内容６０２に記録されている内容が「画質優先」であると判定した場合（Ｓ５１１で「画質優先」の場合）、ＣＰＵ２０１は、Ｓ５１５に処理を進める。Ｓ５１５において、ＣＰＵ２０１は、読込設定（速度優先／画質優先の設定）に基づいて、トレイ１０２上の原稿１０３を標準の速度（６００ｄｐｉ相当）で読み込むように、ＣＰＵ２０８に指示をする（６００ｄｐｉ読み込み設定）。
【００５１】
一方、読込設定６０１に保存されている読込設定内容６０２に記録されている内容が「速度優先」であると判定した場合（Ｓ５１１で「速度優先」の場合）、ＣＰＵ２０１は、Ｓ５１２に処理を進める。
【００５２】
Ｓ５１２にて、ＣＰＵ２０１は、ＤＲＡＭ２０４に保存されている印刷モード６０３の６０４〜６０７に格納されているデータに基づいて特定のモード（本実施例では「連続読込」）が含まれているかモード判定を行う。なお、印刷モード６０３の第１モード６０４、第２モード６０５、第３モード６０６、第４モード６０７には、モード設定画面１１０１でユーザが選択した内容を示すデータが格納されている。
【００５３】
そして、印刷モード６０３の６０４〜６０７に記録されている内容に上述の特定のモード（本実施例では「連続読込」）が含まれていると判定した場合（Ｓ５１２でＹＥＳの場合）、ＣＰＵ２０１は、Ｓ５１３に処理を進める。Ｓ５１３おいて、ＣＰＵ２０１は、読込設定（速度優先／画質優先の設定）に関係なく、トレイ１０２上の原稿１０３を標準の速度（６００ｄｐｉ相当）で読み込むように、ＣＰＵ２０８に指示をする（６００ｄｐｉ読み込み設定）。即ち、圧板読込方法と同じ読込速度を指示する。
【００５４】
一方、印刷モード６０３の６０４〜６０７に記録されている内容に上述の特定のモード（本実施例では「連続読込」）が含まれていないと判定した場合（Ｓ５１２でＮＯの場合）、ＣＰＵ２０１は、Ｓ５１４に処理を進める。Ｓ５１４おいて、ＣＰＵ２０１は、読込設定（速度優先／画質優先の設定）に基づいて、トレイ１０２上の原稿１０３を標準の速度の倍の速度（３００ｄｐｉ相当）で読み込むように、ＣＰＵ２０８に指示をする（３００ｄｐｉ読み込み設定）。即ち、速度優先での読込速度を指示する。
【００５５】
上記Ｓ５０６、Ｓ５１３、Ｓ５１４又はＳ５１５でＣＰＵ２０１からシリアル通信コントローラ２１６経由で指示を受け取ったＣＰＵ２０８は、設定された速度でトレイ１０２上の原稿１０３を順次読み込み、画像データをスキャナＩ／Ｆ２０６経由で転送する。ＣＰＵ２０１は、ＣＰＵ２０８から転送されてきた画像データをＧｒａｐｈｉｃ Ｐｒｏｃｅｓｓｏｒ２０３で主走査方向の解像度を変換した後、ＤＲＡＭ２０４を介してＩ／Ｏ制御部２１５経由でＨＤＤ２１８に保存する（Ｓ５０７）。
なお、「流し読み込み（ＤＦ）」の場合、ＣＰＵ２０８は、トレイ１０２上の原稿１０３が全て読み込まれたことを検知すると、読込終了をＣＰＵ２０１に通知する。
【００５６】
ＣＰＵ２０１は、原稿台ガラス１２０上の原稿が読み込まれた、又は、トレイ１０２上の原稿１０３が全て読み込まれた時点で、読み込み終了か否かを判断する。
例えば、印刷モードに「連続読込」が含まれている場合、ＣＰＵ２０１は、再度ユーザの指示待ちを行い、操作部３００において不図示の「読込終了ボタン」が押下された場合に読み込み終了と判断し、それ以外の場合には読み込み終了でないと判断する。
また、印刷モードに「連続読込」が含まれていない場合、ＣＰＵ２０１は、原稿台ガラス１２０上の原稿が読み込まれた、又は、トレイ１０２上の原稿１０３が全て読み込まれた時点で、読み込み終了と判断する。
【００５７】
そして、読み込み終了でないと判断した場合（Ｓ５０８でＮＯの場合）、ＣＰＵ２０１は、Ｓ５０２に処理を戻す。
一方、読み込み終了と判断した場合（Ｓ５０８でＹＥＳの場合）、ＣＰＵ２０１は、Ｓ５０９に処理を進める。
【００５８】
Ｓ５０９において、ＣＰＵ２０１は、上記Ｓ５０７の原稿読み込みによってＨＤＤ２１８に保存された画像データをＤＲＡＭ２０４に展開する。さらに、ＣＰＵ２０１は、印刷モード６０３の６０４〜６０７に保存されている設定内容に従ってＧｒａｐｈｉｃ Ｐｒｏｃｅｓｓｏｒ２０３で画像処理を行い、その後、プリンタＩ／Ｆ２１０を介してプリンタ２１２に転送することで印刷処理を実行する。
【００５９】
なお、図５に示した例では、Ｓ５１１で速度優先か画質優先かを判定した後に、Ｓ５１２で特定のモードが設定されているか判定を行う例を示した。しかし、特定のモードが設定されているか判定を行った後に、速度優先か画質優先かを判定する構成でもよい。即ち、特定のモードが設定されている場合には、圧板読込と同じ標準の速度（６００ｄｐｉ相当）で読み込むように指示し、一方、特定のモードが設定されていない場合には、速度優先か画質優先かに基づく速度で読み込みを行うように指示する構成でもよい。
【００６０】
なお、上記実施例では、コピー機能を使用する場合を例に説明したが、原稿の読み込みを含む機能を使用する場合であれば他の機能を使用する場合であっても、本発明は適用可能である。例えば、スキャン機能を使用する場合であっても、ファクシミリ送信機能を使用する場合であっても、本発明は適用可能である。
【００６１】
例えば、スキャン機能のモード設定画面（不図示）から、スキャン実行時のモード設定として、該モード設定画面からは、少なくとも、原稿台ガラス１２０上の原稿とトレイ１０２上の原稿を切り替えながら読込を行う連続読込モードを設定可能に構成する。そして、ＣＰＵ２０１は、スキャン機能を使用する場合、図５のＳ５０２〜Ｓ５０８に示す処理を実行するように制御する。即ち、ＣＰＵ２０１は、流し読み込み（ＤＦ）を行う場合、上記特定のモード（本実施例では「連続読込」）が設定されている場合には、速度優先か画質優先かに関わらず、圧板読込と同じ標準の読み込み速度で原稿の読み込みを行うように制御する。なお、ファクシミリ送信機能についても同様とする。
【００６２】
以上のように、流し読み読込を行う場合、特定のモード（例えば「連続読込」）が設定されている場合には、流し読み読込での読み込み速度に関連する設定（速度優先／画質優先）に関わらず、標準の読み込み速度で原稿の読み込みを行うように制御する。これにより、安価な構成の画像処理装置において、生産性を重視した読み込みと、画質を重視した読み込みの変更を、コピー機能等の原稿読み込みを含む機能においてユーザが指定した動作モードに応じて自動的に切り換えることができる。従って、連続読込時に、ユーザに煩雑な原稿読み込み速度の切り替え操作を強いることもなく、低コストで生産性を上げつつ、ユーザの選択した動作モードに応じて最適な速度（解像度）で原稿の読み込みを行うことができる画像処理装置を提供できる。
【実施例２】
【００６３】
上記実施例では、流し読み読込を行う場合に「連続読込」が設定されている場合、速度優先／画質優先に関わらず、圧板読込と同じ標準の読み込み速度で原稿の読み込みを行うように制御する構成について説明した。実施例２では、流し読み読込を行う場合、「連続読込」のみでなく、圧板読込と異なる読み込み速度に対応するモードが設定されている場合にも、「連続読込」の場合と同様に、標準の読み込み速度で原稿の読み込みを行う構成とする。以下、実施例１との相違点のみを説明する。
【００６４】
図７は、実施例２における画像処理装置１００のメモリ（ＤＲＡＭ２０４）上のコピーモードに対応した解像度のデータ構造を例示する図である。なお、図７に示すデータは、ＲＯＭ２０２に予め保存されているものとする。
【００６５】
実施例２では、図５のＳ５１２において、ＣＰＵ２０１は、ＤＲＡＭ２０４に保存されている印刷モード６０３の６０４〜６０７に格納されているデータと、図７のモード種別７０１と解像度７０２から構成されるテーブルに基づいて、モード判定を行う。なお、印刷モード６０３の第１モード６０４、第２モード６０５、第３モード６０６、第４モード６０７には、図１１のモード設定画面１１０１でユーザが選択した内容を示すデータが格納されている。
【００６６】
上記Ｓ５１２では、まず、ＣＰＵ２０１は、第１モード６０４に記録されている内容をモード種別７０１の構成要素７０３から検索し、対応する解像度７０２の構成要素７０４を取得する。ＣＰＵ２０１は、この処理を第１モード６０４、第２モード６０５、第３モード６０６、第４モード６０７まで順次行う。この結果に基づき、ＣＰＵ２０１は、印刷モード６０３の第１モード６０４、第２モード６０５、第３モード６０６、第４モード６０７に記録されている内容に解像度６００ｄｐｉに対応する特定の印刷モードが含まれているか判定する。
【００６７】
そして、印刷モード６０３の６０４〜６０７に記録されている内容に上述の特定の印刷モード（解像度６００ｄｐｉに対応する印刷モード）が含まれていると判定した場合（Ｓ５１２でＹＥＳの場合）、ＣＰＵ２０１は、Ｓ５１３に処理を進める。Ｓ５１３おいて、ＣＰＵ２０１は、読込設定（速度優先／画質優先の設定）に関係なく、トレイ１０２上の原稿１０３を、標準の速度（６００ｄｐｉ相当）で読み込むように、ＣＰＵ２０８に指示をする（６００ｄｐｉ読み込み設定）。
【００６８】
一方、印刷モード６０３の６０４〜６０７に記録されている内容に上述の特定の印刷モードが含まれていない（全てが解像度３００ｄｐｉに対応する印刷モード）と判定した場合（Ｓ５１２でＮＯの場合）、ＣＰＵ２０１は、Ｓ５１４に処理を進める。Ｓ５１４おいて、ＣＰＵ２０１は、読込設定（速度優先／画質優先の設定）に基づいて、トレイ１０２上の原稿１０３を標準の速度の倍の速度（３００ｄｐｉ相当）で読み込むように、ＣＰＵ２０８に指示をする（３００ｄｐｉ読み込み設定）。
他のステップは、実施例１の場合と同様のため、説明を省略する。
【００６９】
以上のように、流し読み読込を行う場合、圧板読込と読み込み速度が異なる特定のモードが設定されている場合には、速度優先／画質優先の設定に関わらず、標準の読み込み速度で原稿の読み込みを行うように制御する。これにより、安価な構成の画像処理装置において、生産性を重視した読み込みと、画質を重視した読み込みの変更を、コピー機能等の原稿読み込みを含む機能においてユーザが指定した動作モードに応じて自動的に切り換えることができる。従って、ユーザに煩雑な原稿読み込み速度の切り替え操作を強いることもなく、低コストで生産性を上げつつ、ユーザの選択した動作モードに応じて最適な速度（解像度）で原稿の読み込みを行うことができる画像処理装置を提供することができる。
【００７０】
なお、従来では、例えば、６００ｄｐｉに対応する印刷モードを使用している場合に、流し読み読込にて３００ｄｐｉに対応する速度で読み込んでしまうと、印刷モードで必要としている解像度と流し読み読込方法で読み込んだ解像度とが異なってしまう。そのため、ユーザの意図した出力結果を得ることができないといった事態が発生してしまうといった課題があった。このような事態の発生を回避するためには、従来ではユーザが指定するコピー機能に応じて、上述したような読み込み速度の切り替え操作を行わなくてはならなかった。例えば、ユーザが指定した印刷モードに対応する読込速度となるように、ユーザが、流し読み読込方法の読込速度に関する設定を変更する必要があったが、このような操作は、ユーザに操作の負荷をかけることになっていた。また、上述のような課題について知らないユーザでは、上述のような設定が考慮されることなく連続読み込み機能が使用されてしまう可能性があった。その結果、ユーザの意図する出力物が得られない可能性があった。しかし、実施例２によれば、ユーザに煩雑な操作を強いることなく、低コストで生産性を上げつつ、ユーザの選択した動作モードに応じて最適な速度で原稿の読み込みを行うことが可能となる。
【００７１】
なお、上述した各種データの構成及びその内容はこれに限定されるものではなく、用途や目的に応じて、様々な構成や内容で構成されていてもよい。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【００７２】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００７３】
１００    画像処理装置
１０１    原稿給紙装置
１１９    原稿読み取り装置
２０１    ＣＰＵ
２０７    スキャナ
２０８    ＣＰＵ
【図１】
0006587463.tif 000002
【図２】
0006587463.tif 000003
【図３】
0006587463.tif 000004
【図４】
0006587463.tif 000005
【図５】
0006587463.tif 000006
【図６】
0006587463.tif 000007
【図７】
0006587463.tif 000008
【図８】
0006587463.tif 000009
【図９】
0006587463.tif 000010
【図１０】
0006587463.tif 000011
【図１１】
0006587463.tif 000012